【手続補正書】
【提出日】平成29年4月17日(2017.4.17)
【手続補正１】
【補正対象書類名】特許請求の範囲
【補正対象項目名】全文
【補正方法】変更
【補正の内容】
【特許請求の範囲】
【請求項１】
蒸気使用設備における蒸気発生機器で蒸気を発生させるために必要なコストを形成する複数の蒸気発生コスト要因と前記蒸気使用設備の蒸気配管系各部を通過する各蒸気量とを定期的に取得するデータ入力部と、
取得された前記蒸気発生コスト要因から単一の基準値に基準化された蒸気発生コストを演算する基準化演算部と、
演算された前記蒸気発生コストに基づいて前記蒸気使用設備に対する改善必要性を評価するための評価情報を定期的に生成する評価情報生成部と、を備え、
前記評価情報生成部は、生成された前記評価情報において前記蒸気使用設備に対する改善が必要であると評価された場合に、取得された前記蒸気量の値とその基準値との比較情報に基づいて異常箇所を判定する蒸気使用設備評価システム。
【請求項２】
前記評価情報生成部は、前記評価情報の１つとして前記蒸気発生コストの経時的な変化を示すグラフ情報を生成する請求項１に記載の蒸気使用設備評価システム。
【請求項３】
前記蒸気発生コストの基準値から算定される第１閾値を定め、
前記評価情報生成部は、前記蒸気発生コストが前記第１閾値を超えた場合に前記評価情報の１つとして前記蒸気使用設備に対する改善が必要であるとする改善評価情報を生成する請求項１又は２に記載の蒸気使用設備評価システム。
【請求項４】
前記第１閾値よりも低い値である第２閾値を定め、
前記評価情報生成部は、前記蒸気発生コストが前記第２閾値を下回った場合に前記評価情報の１つとして前記蒸気使用設備の運転が良好であるとする改善評価情報を生成する請求項３に記載の蒸気使用設備評価システム。
【請求項５】
前記改善評価情報とともに前記蒸気使用設備に対する前記改善策を生成する請求項３又は４に記載の蒸気使用設備評価システム。
【請求項６】
前記蒸気発生機器は、前記蒸気使用設備の運転において生じる廃熱により蒸気を発生させる廃熱ボイラーを含む請求項１〜５のいずれか１項に記載の蒸気使用設備評価システム。
【請求項７】
前記評価情報生成部は、前記蒸気配管系各部を表示体で示した前記蒸気使用設備の構成図情報であって、各表示体の近傍の各々に、取得された前記蒸気量の値のうちの各表示体に対応する部位を通過する蒸気量の値を前記比較情報と関連付けた状態で表示する前記構成図情報を生成する請求項１〜６のいずれか１項に記載の蒸気使用設備診断システム。
【請求項８】
コンピュータに実行させる蒸気使用設備評価方法であって、
蒸気使用設備における蒸気発生機器で蒸気を発生させるために必要なコストを形成する複数の蒸気発生コスト要因と前記蒸気使用設備の蒸気配管系各部を通過する各蒸気量とを定期的に取得するデータ入力ステップと、
取得された前記蒸気発生コスト要因から単一の基準値に基準化された蒸気発生コストを演算する基準化演算ステップと、
演算された前記蒸気発生コストに基づいて前記蒸気使用設備に対する改善必要性を評価するための評価情報を定期的に生成する評価ステップと、を備え、
前記評価情報生成部は、生成された前記評価情報において前記蒸気使用設備に対する改善が必要であると評価された場合に、取得された前記蒸気量の値とその基準値との比較情報に基づいて異常箇所を判定する蒸気使用設備評価方法。
【手続補正２】
【補正対象書類名】明細書
【補正対象項目名】０００８
【補正方法】変更
【補正の内容】
【０００８】
本発明の第１特徴構成は蒸気使用設備評価システムに係り、その特徴は、
蒸気使用設備における蒸気発生機器で蒸気を発生させるために必要なコストを形成する複数の蒸気発生コスト要因と前記蒸気使用設備の蒸気配管系各部を通過する各蒸気量とを定期的に取得するデータ入力部と、
取得された前記蒸気発生コスト要因から単一の基準値に基準化された蒸気発生コストを演算する基準化演算部と、
演算された前記蒸気発生コストに基づいて前記蒸気使用設備に対する改善必要性を評価するための評価情報を定期的に生成する評価情報生成部と、を備え、
前記評価情報生成部は、生成された前記評価情報において前記蒸気使用設備に対する改善が必要であると評価された場合に、取得された前記蒸気量の値とその基準値との比較情報に基づいて異常箇所を判定する点にある。
【手続補正３】
【補正対象書類名】明細書
【補正対象項目名】００１１
【補正方法】変更
【補正の内容】
【００１１】
本発明の第２特徴構成は、第１特徴構成の実施に好適な構成であり、その特徴は、
前記評価情報生成部は、前記評価情報の１つとして前記蒸気発生コストの経時的な変化を示すグラフ情報を生成する点にある。
【手続補正４】
【補正対象書類名】明細書
【補正対象項目名】００１２
【補正方法】変更
【補正の内容】
【００１２】
つまり、上記構成によれば、蒸気発生コストの経時的な変化により、評価情報として現在の蒸気発生コストだけでなく過去の蒸気発生コストの変動を把握できるから、例えば、過去の蒸気使用設備の運転状況を参照するなどにより過去の蒸気発生コストの変動の原因を分析することができて、これにより、生成された評価情報に基づいて蒸気使用設備に対する改善必要性をより一層的確且つわかりやすく評価できる。
【手続補正５】
【補正対象書類名】明細書
【補正対象項目名】００１７
【補正方法】変更
【補正の内容】
【００１７】
本発明の第５特徴構成は、第３又は第４特徴構成の実施に好適な構成であり、その特徴は、
前記改善評価情報とともに前記蒸気使用設備に対する前記改善策を生成する点にある。
【手続補正６】
【補正対象書類名】明細書
【補正対象項目名】００２１
【補正方法】変更
【補正の内容】
【００２１】
本発明の第７特徴構成は、第１〜第６特徴構成の実施に好適な構成であり、その特徴は、
前記評価情報生成部は、前記蒸気配管系各部を表示体で示した前記蒸気使用設備の構成図情報であって、各表示体の近傍の各々に、取得された前記蒸気量の値のうちの各表示体に対応する部位を通過する蒸気量の値を前記比較情報と関連付けた状態で表示する前記構成図情報を生成する点にある。
【手続補正７】
【補正対象書類名】明細書
【補正対象項目名】００２３
【補正方法】変更
【補正の内容】
【００２３】
本発明の第８特徴構成は蒸気使用設備評価方法に係り、その特徴は、
コンピュータに実行させる蒸気使用設備評価方法であって、
蒸気使用設備における蒸気発生機器で蒸気を発生させるために必要なコストを形成する複数の蒸気発生コスト要因と前記蒸気使用設備の蒸気配管系各部を通過する各蒸気量とを定期的に取得するデータ入力ステップと、
取得された前記蒸気発生コスト要因から単一の基準値に基準化された蒸気発生コストを演算する基準化演算ステップと、
演算された前記蒸気発生コストに基づいて前記蒸気使用設備に対する改善必要性を評価するための評価情報を定期的に生成する評価ステップと、を備え、
前記評価情報生成部は、生成された前記評価情報において前記蒸気使用設備に対する改善が必要であると評価された場合に、取得された前記蒸気量の値とその基準値との比較情報に基づいて異常箇所を判定する。
【手続補正８】
【補正対象書類名】明細書
【補正対象項目名】００２５
【補正方法】削除
【補正の内容】
【手続補正９】
【補正対象書類名】明細書
【補正対象項目名】００２６
【補正方法】削除
【補正の内容】
【手続補正１０】
【補正対象書類名】明細書
【補正対象項目名】００２７
【補正方法】削除
【補正の内容】
【手続補正１１】
【補正対象書類名】明細書
【補正対象項目名】００２８
【補正方法】削除
【補正の内容】
【手続補正１２】
【補正対象書類名】明細書
【補正対象項目名】００２９
【補正方法】削除
【補正の内容】
【手続補正１３】
【補正対象書類名】明細書
【補正対象項目名】００３０
【補正方法】削除
【補正の内容】
【手続補正１４】
【補正対象書類名】明細書
【補正対象項目名】００３１
【補正方法】削除
【補正の内容】
【手続補正１５】
【補正対象書類名】明細書
【補正対象項目名】００３２
【補正方法】削除
【補正の内容】